(57)【要約】【課題】芝やボール等が濡れてフェイス面に水が付いた状況下や、フェイス面に芝や草などが付いた状況下であっても、所望のバックスピン量が得られ、ボールの弾道を一定化し、ボールの飛距離やグリーンでの止まり具合等を安定とする。【解決手段】ゴルフクラブヘッド１０は、フェイス面１１に、所定の高さを有する微小隆起部１７を所定のパターン状に形成する。【選択図】図１
2007319344.tif 000002
【特許請求の範囲】
【請求項１】
フェイス面に、所定の高さを有する微小隆起部が所定のパターン状に形成されていることを特徴とするゴルフクラブヘッド。
【請求項２】
請求項１記載のゴルフクラブヘッドにおいて、
前記微小隆起部は、断面かまぼこ形状とされていることを特徴とするゴルフクラブヘッド。
【請求項３】
請求項１記載のゴルフクラブヘッドにおいて、
前記微小隆起部に沿って、かつ、隣接して谷部が設けられていることを特徴とするゴルフクラブヘッド。
【請求項４】
請求項３記載のゴルフクラブヘッドにおいて、
前記谷部の底部と、前記微小隆起部の頂部の高低差は、２〜３００μｍの範囲内とされていることを特徴とするゴルフクラブヘッド。
【請求項５】
請求項３記載のゴルフクラブヘッドにおいて、
前記谷部の底部と、前記微小隆起部の頂部の高低差は、２〜９０μｍの範囲内とされていることを特徴とするゴルフクラブヘッド。
【請求項６】
請求項１ないし請求項５のいずれかに記載のゴルフクラブヘッドにおいて、
前記パターンは、直線状、破線状、ジグザグ状、曲線状、格子状、タイル形状あるいはスポット形状に形成されていることを特徴とするゴルフクラブヘッド。
【請求項７】
請求項１ないし請求項６のいずれかに記載のゴルフクラブヘッドにおいて、
前記フェイス面には、所定の深さを有するフェイスライン溝が複数形成され、
前記微小隆起部は、前記フェイスライン溝の間に、当該フェイスライン溝とほぼ並行して配置されていることを特徴とするゴルフクラブヘッド。
【請求項８】
請求項記載のゴルフクラブヘッドにおいて、
前記微小隆起部は、隣設された二つの前記フェイスライン溝の間に複数配置されていることを特徴とするゴルフクラブヘッド。
【請求項９】
請求項２記載のゴルフクラブヘッドにおいて、
前記微小隆起部は、平面視、鋸刃状に形成されていることを特徴とするゴルフクラブヘッド。
【請求項１０】
請求項１または請求項２記載のゴルフクラブヘッドにおいて、
前記微小隆起部は、レーザ加工、電解加工、電解研磨、電解エッチング、フォトエッチングあるいは３次元エレクトロフォーミングにより形成することを特徴とするゴルフクラブヘッド。
【請求項１１】
請求項３ないし請求項９のいずれかに記載のゴルフクラブヘッドにおいて、
前記谷部および前記微小隆起部は、レーザ加工、電解加工、電解研磨、電解エッチング、フォトエッチングあるいは３次元エレクトロフォーミングにより形成することを特徴とするゴルフクラブヘッド。
【請求項１２】
ゴルフクラブヘッドのフェイス面に形成すべき、所定の高さを有する微小隆起部の形成パターンを設定するパターン設定過程と、
レーザ加工、電解加工、電解研磨、電解エッチング、フォトエッチングあるいは３次元エレクトロフォーミングにより、前記微小隆起部を前記フェイス面に所定のパターン状に形成する微小隆起部形成過程と、
を備えたことを特徴とするゴルフクラブヘッドの製造方法。
【請求項１３】
ゴルフクラブヘッドのフェイス面に形成すべき、所定の高さを有する微小隆起部および当該微小隆起部に沿って隣接配置する谷部の形成パターンを設定するパターン設定過程と、
レーザ加工、電解加工、電解研磨、電解エッチング、フォトエッチングあるいは３次元エレクトロフォーミングにより、前記微小隆起部および前記谷部を前記フェイス面に所定のパターン状に形成する形成過程と、
を備えたことを特徴とするゴルフクラブヘッドの製造方法。
【発明の詳細な説明】
【技術分野】
【０００１】
本発明は、ゴルフクラブヘッドおよびゴルフクラブヘッドの製造方法に関する。
【背景技術】
【０００２】
従来、打球のバックスピン量は、ボールの弾道を大きく変化させ、打球の飛距離、打球方向性、打球安定性、止まりやすさ、特にグリーン上における止まりやすさに多大な影響を与えることが知られている。
このため、従来のゴルフクラブヘッドにおいては、所望のバックスピン量を得るためにフェイス面にフェイスライン溝を形成したものが提案されている（例えば、特許文献１参照。）。
【特許文献１】特開平９−１９２２７４号公報
【発明の開示】
【発明が解決しようとする課題】
【０００３】
ところで、上記従来のフェイスライン溝を形成したゴルフクラブヘッドにおいては、芝やボールが乾いている場合（ドライ状態）には、所望のバックスピン量が得られるが、芝やボール等が濡れてフェイス面に水が付いた状況下や、フェイス面に芝や草などが付いた状況下（以下、単にウエット状態という。）においては、フェイス面とボールとの間に芝や水が介在することにより、意図したバックスピン量が得られず、ひいては、ボールの飛距離やグリーンでの止まり具合等に大きなバラツキが生じてしまうという問題点があった。
【０００４】
そこで、本発明の目的は、芝やボール等が濡れている場合であっても、所望のバックスピン量が得られ、ボールの弾道を一定化し、ボールの飛距離やグリーンでの止まり具合等を安定とすることが可能なゴルフクラブヘッドおよびゴルフクラブヘッドの製造方法を提供することにある。
【課題を解決するための手段】
【０００５】
上記課題を解決するため、ゴルフクラブヘッドは、フェイス面に、所定の高さを有する微小隆起部が所定のパターン状に形成されていることを特徴としている。
上記構成によれば、微小隆起部により、芝やボール等が濡れてフェイス面に水が付いた状況下や、フェイス面に芝や草などが付いた状況下であっても、それらの影響を低減し、所望のバックスピン量が得られる。
【０００６】
この場合において、前記微小隆起部は、断面かまぼこ形状とされていてもよい。
また、前記微小隆起部に沿って、かつ、隣接して谷部が設けられているようにしてもよい。
上記構成によれば、微小隆起部および谷部が共働して、芝やボール等が濡れてフェイス面に水が付いた状況下や、フェイス面に芝や草などが付いた状況下の影響を低減し、所望のバックスピン量が得られる。
【０００７】
この場合において、前記谷部の底部と、前記微小隆起部の頂部の高低差は、２〜３００μｍの範囲内とされているようにしてもよい。
さらに好ましくは、前記谷部の底部と、前記微小隆起部の頂部の高低差は、２〜９０μｍの範囲内とされている。
また、前記パターンは、直線状、破線状、ジグザグ状、曲線状、格子状、タイル形状あるいはスポット形状に形成されているようにしてもよい。
【０００８】
さらに、前記フェイス面には、所定の深さを有するフェイスライン溝が複数形成され、前記微小隆起部は、前記フェイスライン溝の間に、当該フェイスライン溝とほぼ並行して配置されているようにしてもよい。
さらにまた、前記微小隆起部は、隣設された二つの前記フェイスライン溝の間に複数配置されているようにしてもよい。
また、前記微小隆起部は、平面視、鋸刃状に形成されているようにしてもよい。
さらに前記微小隆起部は、レーザ加工、電解加工、電解研磨、電解エッチング、フォトエッチングあるいは３次元エレクトロフォーミングにより形成してもよい。
【０００９】
また、ゴルフクラブヘッドの製造方法は、ゴルフクラブヘッドのフェイス面に形成すべき、所定の高さを有する微小隆起部の形成パターンを設定するパターン設定過程と、レーザ加工、電解加工、電解研磨、電解エッチング、フォトエッチングあるいは３次元エレクトロフォーミングにより、前記微小隆起部を前記フェイス面に所定のパターン状に形成する微小隆起部形成過程と、を備えたことを特徴としている。
【００１０】
また、ゴルフクラブヘッドの製造方法は、ゴルフクラブヘッドのフェイス面に形成すべき、所定の高さを有する微小隆起部および当該微小隆起部に沿って隣接配置する谷部の形成パターンを設定するパターン設定過程と、レーザ加工、電解加工、電解研磨、電解エッチング、フォトエッチングあるいは３次元エレクトロフォーミングにより、前記微小隆起部および前記谷部を前記フェイス面に所定のパターン状に形成する形成過程と、を備えたことを特徴としている。
【発明の効果】
【００１１】
本発明によれば、芝やボール等が濡れてフェイス面に水が付いた状況下や、フェイス面に芝や草などが付いた状況下であっても、バックスピン量の減少を抑制でき、芝やボールが乾いている状態で得られるバックスピン量と同等のバックスピン量を得ることができる。ひいては、ボールコントロールを容易に行うことができる。
【発明を実施するための最良の形態】
【００１２】
次に本発明の好適な実施の形態について図面を参照して説明する。
［１］第１実施形態
図１は、実施形態のゴルフクラブヘッド（アイアン）の外観正面図である。
ゴルフクラブヘッド１０は、フェイス面１１と、ゴルフクラブヘッド１０の底面を構成するソール面１２と、フェイス面１１のヒール１３側から所定角度で延びシャフトを挿入接着するためのシャフト穴１４を有するホーゼル１５と、を備えている。
ここで、ゴルフクラブヘッド１０の材質としては、ステンレス（例えば、ＳＵＳ３０４等）、チタン合金、軟鉄、アルミ合金、マグネシウム合金、真鍮、砲金などが挙げられる。
【００１３】
フェイス面１１には、複数のフェイスライン溝１６と、フェイスライン溝１６と並行して配置された複数の微小隆起部１７と、が設けられている。図１においては、理解の容易のため、フェイスライン溝１６を実線で示し、微小隆起部１７を破線で示している。
フェイスライン溝１６は、ヘッド１を所定のライ角及びロフト角で水平面上に載置した基準状態においてほぼ水平な向きに設けられており、かつ、リーディングエッジ１８にもほぼ沿った向きに配設されている。また、フェイスライン溝１６はフェイス面１１のほぼ中央領域に設けられている。さらにフェイスライン溝１６は、所定のピッチＰで配置されている。
【００１４】
図２は、図１のＡ−Ａ断面の一部拡大図である。
図２に示すように、微小隆起部１７は、フェイスライン溝１６の間に、フェイスライン溝１６と並行して設けられている。すなわち、本第１実施形態では、微小隆起部１７は、ライン（直線）状に配置されている。
フェイスライン溝１６の断面形状は左右対称であり、すべてのフェイスライン溝１６の断面形状は同一となっている。
【００１５】
図３は、図１のＡ−Ａ断面において、微小隆起部近傍を拡大した斜視図である。図４は、微小隆起部近傍の拡大平面図である。
図３に示すように、微小隆起部１７に平行して、かつ、隣接して谷部２１が設けられている。
微小隆起部１７と、谷部２１との高低差Δｈは、２〜３００μｍとされ、より好ましくは、２〜９０μｍとされている。この場合において、高低差Δｈを２〜３００μｍとしたのは、２μｍ未満および３００μｍより大きい場合には、微小隆起部１７および谷部２１を設けない場合と同様の効果しか得られないからである。また、より好ましくは、２〜９０μｍとしたのは、この範囲内であれば、ウエット状態におけるバックスピン量の減少量がより少なくなるからである。
【００１６】
また、微小隆起部１７の間の幅（溝幅）Ｗは、７０〜３００μｍとされている。この場合において、幅Ｗを７０〜３００μｍとしたのは、７０μｍ未満および３００μｍより大きい場合には、微小隆起部１７および谷部２１を設けない場合と同様の効果しか得られないからである。
【００１７】
図５は、レーザ加工システムの概要構成説明図である。
レーザ加工システム３０は、レーザ加工システム３０全体を制御するためのコントローラ３１と、加工前のゴルフクラブヘッド１０Ｐを保持するための治具３２が設けられ、Ｘ方向およびＹ方向に駆動可能なＸ−Ｙテーブル３３と、コントローラ３１の制御下でＸ−Ｙテーブル３３を駆動するためのＸ−Ｙドライバ３４と、パルスレーザ光を出力するレーザユニット３５と、コントローラ３１の制御下でレーザユニット３５を駆動するためのレーザドライバ３６と、ユーザであるオペレータが各種操作を行うための操作ユニット３７と、各種情報を表示するためのディスプレイ３８と、を備えて構成されている。
ここで、レーザユニット３５としては、炭酸ガスレーザ装置、ＹＡＧレーザ装置などが適用可能である。
【００１８】
次に加工手順について説明する。
まず、オペレータは、治具３２によりゴルフクラブヘッド１０Ｐを所定の向きに固定する。図５においては、フェイスライン溝１６の延在方向がＹ方向となるように固定するものとして説明する。
続いて、オペレータは、操作ユニット３７を操作し、コントローラ３１の図示しない外部記憶装置からゴルフクラブヘッド１０Ｐに対応するデータを読み出させて、ディスプレイ３８に各種情報を表示させるとともに、加工開始の指示の入力を促す。
【００１９】
これにより、オペレータが加工の開始指示を入力すると、コントローラ３１は、Ｘ−Ｙドライバ３４を制御し、Ｘ−Ｙテーブル３３を駆動して、レーザユニット３５のパルスレーザ光の照射位置が、所定の加工開始位置となるようにゴルフクラブヘッド１０Ｐを移動する。
【００２０】
続いて、コントローラ３１は、レーザドライバ３６を介してレーザユニット３５を駆動して、パルスレーザ光を出力させ、谷部２１を形成するための穴を、例えば、図４における位置Ｔ１を中心位置としてあける。このとき、穴の周囲は盛り上がり、微小隆起部１７が形成される。このときのパルスレーザ光の出力としては、５〜２５Ｗ程度が望ましい。
また、レーザ操作速度としては、１００〜２０００ｍｍ／ｓｅｃ程度が望ましい。
【００２１】
パルスレーザ光の出力が完了すると、コントローラ３１は、Ｘ−Ｙドライバ３４を制御し、Ｘ−Ｙテーブル３３をＹ方向に所定量だけ移動させ、今度は、図４における位置Ｔ２を中心位置として、同様に谷部２１を形成するための穴をあける。この結果、前回形成した穴と、今回形成した穴とはつながって、連続する微小隆起部１７および連続する谷部２１が形成されることとなる。このとき、微小隆起部１７は、図３および図４に示すように平面視した状態で鋸刃状に形成されている。
以下、同様にして、パルスレーザ光の照射位置をずらしてゆくことにより、ライン状に連続して延びた微小隆起部１７および谷部２１を形成し、Ｙ方向（フェイスライン溝１６の延在方向）に所定の長さとする。
【００２２】
続いて、コントローラ３１は、コントローラ３１は、Ｘ−Ｙドライバ３４を制御し、Ｘ−Ｙテーブル３３を駆動し、次の微小隆起部１７の形成開始位置まで、Ｘ方向に所定量だけ移動させるとともに、Ｙ方向についてもレーザユニット３５のパルスレーザ光照射位置が、次の微小隆起部１７の形成加工開始位置となるようにゴルフクラブヘッド１０Ｐを移動する。
以下、同様にして、フェイスライン溝１６の間にそれぞれ１本ずつ谷部２１、ひいては、２本の微小隆起部１７を形成することとなる。
【００２３】
図６は、第１実施形態の効果の説明図である。
図６は、ゴルフクラブヘッド１０のフェイス面１１に対し、ボールを所定速度ＶIX（ゴルフクラブのスイング速度に相当）で入射した場合に得られるボールのバックスピン量（ｒｐｍ）を示したものである。
図６中、菱形マーク（◆）は、フェイス面１１にフェイスライン溝１６のみを形成し、ドライ状態で得られるバックスピン量である。
これに対し、図６中、三角マーク（△）は、フェイス面１１にフェイスライン溝１６および本第１実施形態の微小隆起部１７および谷部２１を形成し、ウエット状態で得られるバックスピン量である。
【００２４】
また、図６中、丸マーク（●）は、フェイス面１１にフェイスライン溝１６およびショットピーニング法による凹凸を形成し、ウエット状態で得られるバックスピン量である。
これらからわかるように、本実施形態の微小隆起部１７および谷部２１によれば、ウエット状態であっても、バックスピン量の減少を抑制でき、フェイス面１１にフェイスライン溝１６のみを形成した場合のドライ状態で得られるバックスピン量と同等のバックスピン量を得ることができ、ひいては、ボールコントロールを容易に行うことができる。
【００２５】
［２］第２実施形態
上記第１実施形態においては、レーザユニットとして、パルスレーザ光を出射するものについて説明したが、本第２実施形態は、連続レーザ光を出射する構成とした場合の実施形態である。
図７は、図１のＡ−Ａ断面に相当する断面において、第２実施形態の微小隆起部近傍を拡大した斜視図である。
図７に示すように、微小隆起部１７Ａに平行して、かつ、隣接して谷部２１が設けられている。
【００２６】
ここで、谷部２１を挟んで対向する二つの微小隆起部１７Ａは、ほぼ平行に形成されている。
この場合においても、微小隆起部１７Ａと、谷部２１との高低差Δｈは、第１実施形態と同様に２〜３００μｍとされ、より好ましくは、２〜９０μｍとされている。
また、微小隆起部１７Ａの間の幅（溝幅）Ｗは、７０〜３００μｍとされている。
本第２実施形態によっても、ウエット状態であっても、バックスピン量の減少を抑制でき、フェイス面にフェイスライン溝１６のみを形成した場合のドライ状態で得られるバックスピン量と同等のバックスピン量を得ることができ、ひいては、ボールコントロールを容易に行うことができる。
【００２７】
［３］第３実施形態
上記各実施形態においては、フェイス面に微小隆起部および谷部の双方を形成するものであったが、本第３実施形態は、微小隆起部のみを形成するようにした場合の実施形態である。
【００２８】
図８は、図１のＡ−Ａ断面に相当する断面において、第３実施形態の微小隆起部近傍を拡大した斜視図である。
図８に示すように、微小隆起部１７Ｂは、断面かまぼこ形状を有しており、図示しないフェイスライン溝に平行に形成されている。
して、かつ、隣接して谷部２１が設けられている。
ここで、谷部２１を挟んで対向する二つの微小隆起部１７Ａは、ほぼ平行に形成されている。
【００２９】
この場合において、微小隆起部１７Ｂのフェイス面１１との高低差Δｈ１は、３〜１５０μｍとされ、より好ましくは、３〜４５μｍとされている。
本第３実施形態によっても、ウエット状態であっても、バックスピン量の減少を抑制でき、フェイス面にフェイスライン溝１６のみを形成した場合のドライ状態で得られるバックスピン量と同等のバックスピン量を得ることができ、ひいては、ボールコントロールを容易に行うことができる。
【００３０】
［４］第４実施形態
上記各実施形態においては、微小隆起部をフェイスライン溝の間に一つ配置する場合について説明したが、本第４実施形態は、隣設された二つの前記フェイスライン溝の間に複数配置されている場合の実施形態である。
【００３１】
図９は、図１のＡ−Ａ断面に相当する断面の本第４実施形態における一部拡大図である。
図９に示すように、微小隆起部１７は、フェイスライン溝１６の間に、フェイスライン溝１６と並行して複数（図９では、２本）設けられている。
本第４実施形態においても、上記各実施形態と同様にウエット状態であっても、バックスピン量の減少を抑制でき、フェイス面にフェイスライン溝１６のみを形成した場合のドライ状態で得られるバックスピン量と同等のバックスピン量を得ることができ、ひいては、ボールコントロールを容易に行うことができる。
【００３２】
［５］第５実施形態
上記各実施形態においては、微小隆起部をほぼ直線状に配置していたものであったが、本第５実施形態は、微小隆起部（および谷部を設ける場合は、谷部）をジグザグ状に配置した場合の実施形態である。
【００３３】
図１０は、第５実施形態のゴルフクラブヘッド（アイアン）の外観正面図である。
ゴルフクラブヘッド１０Ａは、フェイス面１１と、ゴルフクラブヘッド１０の底面を構成するソール面１２と、フェイス面１１のヒール１３側から所定角度で延びシャフトを挿入接着するためのシャフト穴１４を有するホーゼル１５と、を備えている。
フェイス面１１には、所定のピッチで配置された複数のフェイスライン溝１６と、フェイスライン溝１６間にジグザグ状に配置された複数の微小隆起部１７Ｃ（および必要に応じ谷部２１Ａ）と、が設けられている。
【００３４】
本第５実施形態においても、上記各実施形態と同様にウエット状態であっても、バックスピン量の減少を抑制でき、フェイス面にフェイスライン溝１６のみを形成した場合のドライ状態で得られるバックスピン量と同等のバックスピン量を得ることができ、ひいては、ボールコントロールを容易に行うことができる。
本第５実施形態においても、第４実施形態と同様に、微小隆起部１７Ｃ（および必要に応じ谷部２１Ａ）は、フェイスライン溝１６の間に、複数設けるようにすることも可能である。
【００３５】
［６］第６実施形態
上記各実施形態においては、微小隆起部を線状に配置していたものであったが、本第６実施形態は、長さの短い微小隆起部を複数、並列に配置して、全体としてタイル形状あるいはスポット形状の微小隆起部として配置した場合の実施形態である。
【００３６】
図１１は、第６実施形態のゴルフクラブヘッド（アイアン）の外観正面図である。
ゴルフクラブヘッド１０Ｂは、フェイス面１１と、ゴルフクラブヘッド１０の底面を構成するソール面１２と、フェイス面１１のヒール１３側から所定角度で延びシャフトを挿入接着するためのシャフト穴１４を有するホーゼル１５と、を備えている。
フェイス面１１には、所定のピッチで配置された複数のフェイスライン溝１６と、フェイスライン溝１６間にタイル形状に配置された複数の微小隆起部１７Ｄ（および必要に応じ谷部２１Ｂ）と、が設けられている。
【００３７】
本第６実施形態においても、上記各実施形態と同様にウエット状態であっても、バックスピン量の減少を抑制でき、フェイス面にフェイスライン溝１６のみを形成した場合のドライ状態で得られるバックスピン量と同等のバックスピン量を得ることができ、ひいては、ボールコントロールを容易に行うことができる。
本第６実施形態においても、第４実施形態と同様に、微小隆起部１７Ｄ（および必要に応じ谷部２１Ｂ）は、フェイスライン溝１６の間に、並列に複数設けるようにすることも可能である。
【００３８】
［７］第７実施形態
以上の各実施形態は、微小隆起部を形成するための加工方法として、レーザ加工を用いていたが、電解加工、電解研磨、電解エッチング、フォトエッチングあるいは３次元エレクトロフォーミングにより形成するように構成することも可能である。
【００３９】
［８］実施形態の変形例
以上の説明では、フェイス面にフェイスライン溝を設ける場合について説明したが、フェイスライン溝を設けることなく、微小隆起部（必要に応じてさらに谷部）を設けるように構成することも可能である。この場合でも、バックスピン量の減少量を低減することができる。
以上の説明は、ゴルフクラブヘッドとして、アイアンを用いる場合について説明したが、ウッド、パターについても同様に適用が可能である。
【図面の簡単な説明】
【００４０】
【図１】実施形態のゴルフクラブヘッド（アイアン）の外観正面図である。
【図２】図１のＡ−Ａ断面の一部拡大図である。
【図３】図１のＡ−Ａ断面において、微小隆起部近傍を拡大した斜視図である。
【図４】微小隆起部近傍の拡大平面図である。
【図５】レーザ加工システムの概要構成説明図である。
【図６】第１実施形態の効果の説明図である。
【図７】図１のＡ−Ａ断面に相当する断面において、第２実施形態の微小隆起部近傍を拡大した斜視図である。
【図８】図１のＡ−Ａ断面に相当する断面において、第３実施形態の微小隆起部近傍を拡大した斜視図である。
【図９】図１のＡ−Ａ断面に相当する断面の本第４実施形態における一部拡大図である。
【図１０】第５実施形態のゴルフクラブヘッド（アイアン）の外観正面図である。
【図１１】第６実施形態のゴルフクラブヘッド（アイアン）の外観正面図である。
【符号の説明】
【００４１】
１０、１０Ａ…ゴルフクラブヘッド、１１…フェイス面、１２…ソール面、１３…ヒール、１４…シャフト穴、１５…ホーゼル、１６…フェイスライン溝、１７、１７Ａ〜１７Ｄ…微小隆起部、２１、２１Ａ、２１Ｂ…谷部、３０…レーザ加工システム、３１…コントローラ、３２…治具、３３…Ｘ−Ｙテーブル、３４…Ｘ−Ｙドライバ、３５…レーザユニット、３６…レーザドライバ、３７…操作ユニット、３８…ディスプレイ。
【図１】
2007319344.tif 000003
【図２】
2007319344.tif 000004
【図３】
2007319344.tif 000005
【図４】
2007319344.tif 000006
【図５】
2007319344.tif 000007
【図６】
2007319344.tif 000008
【図７】
2007319344.tif 000009
【図８】
2007319344.tif 000010
【図９】
2007319344.tif 000011
【図１０】
2007319344.tif 000012
【図１１】
2007319344.tif 000013